(57)【特許請求の範囲】
【請求項１】
バーナを収容した燃焼室と、該燃焼室に連通した給排気流路と、該給排気流路を介して前記バーナに対する強制的な給排気を行なうファンと、該ファンの回転数を検出する回転数検出手段と、前記バーナの目標燃焼量に対応した目標燃焼用空気が得られる前記ファンの目標回転数を設定する回転数決定手段と、前記回転数検出手段による検出回転数と前記目標回転数とが一致するように前記ファンに供給する電流を制御するファン制御手段と、前記給排気流路の閉塞度合を検知して該閉塞度合に応じて前記目標燃焼用空気が得られるように前記目標回転数を補正する回転数補正手段とを備えた燃焼装置において、
前記ファンに供給される電流を検出するファン電流検出手段を備え、
前記回転数補正手段は、前記バーナが第１の所定時間以上継続して燃焼したときに、前記バーナの消火から第２の所定時間内に前記目標回転数を所定の閉塞検知回転数に設定して前記ファン制御手段により前記ファンを作動させて前記ファン電流検出手段により前記ファンに供給される電流を検出し、前記電流検出手段の検出電流と予め設定された基準電流値との相違に基づいて前記給排気流路の閉塞度合を検知して、前記給排気流路の閉塞度合に応じて前記目標回転数を補正するための補正係数を決定し、
前記回転数補正手段により決定された前記補正係数を更新して記憶する記憶手段を備えて、
前記回転数補正手段は、該記憶手段に記憶された前回決定された補正係数の値が大きいほど前記閉塞検知回転数を高く設定して前記給排気流路の閉塞度合を検知することを特徴とする燃焼装置。
【請求項２】
前記回転数補正手段は、前記給排気流路の閉塞度合に応じて決定した前記補正係数と、前記記憶手段に記憶された前回決定した補正係数との差が所定の制限値以上となったときは、前記記憶手段に記憶された補正係数に該制限値を加算して該補正係数を更新することを特徴とする請求項１記載の燃焼装置。
【請求項３】
前記記憶手段は揮発性であり、
前記閉塞検知手段は、電源投入後、最初に前記給排気流路の閉塞度合を検知して該閉塞度合に応じて前記補正係数を決定したときに、該補正係数と予め設定された補正係数の初期値との差が所定の上限値を超えたときには、
該補正係数に前記上限値以下に設定した増加分を加算して前記補正係数を更新して前記記憶手段に記憶し、再度前記給排気流路の閉塞度合を検知して該閉塞度合に応じて前記補正係数を決定する処理を、決定した補正係数と前記記憶手段に記憶された補正係数との差が前記上限値以下となるまで繰り返すことを特徴とする請求項２記載の燃焼装置。
【請求項４】
前記記憶手段は不揮発性であり、
前記記憶手段に記憶された前記補正係数を初期化する補正係数初期化手段を備えたことを特徴とする請求項１又は請求項２記載の燃焼装置。
【発明の詳細な説明】
【０００１】
【発明の属する技術分野】
本発明は、バーナに対する給排気を強制的に行なうファンを備えた燃焼装置に関する。
【０００２】
【従来の技術】
従来より、バーナの燃焼量に応じた給排気が行なわれるように、ファンの回転数を制御する燃焼装置が知られている。しかし、かかる燃焼装置においては、ファンにより給排気が行なわれる給排気流路の閉塞が生じると、バーナに供給される燃焼用空気の流量が減少して、バーナの燃焼状態が悪化するおそれがある。
【０００３】
そこで、給排気流路の閉塞度合を検知して、給排気流路の閉塞度合が大きいほどファンの回転数を高くする補正を行なって、給排気流路の閉塞が生じた場合であっても、バーナに対する燃焼用空気の供給不足が生じないようにした燃焼装置が知られている。そして、閉塞度合を検知する方法としては、ファンを所定回転数で作動させるために必要となるファンの駆動電流（以下、ファン電流という）の変化から閉塞度合を把握する方法が一般的である。
【０００４】
しかし、燃焼中にファンに供給される電流が比較的小さい燃焼装置にあっては、給排気流路の閉塞によりファンの送風量が低下しても、それに伴うファン電流の減少が極めて少ないため、例えば周囲の温度変化の影響でファン電流が減少した場合と閉塞によりファン電流が減少した場合との区別がつき難く、燃焼中のファン電流に基づいて給排気流路の閉塞を検出することが困難な場合があった。
【０００５】
そこで、バーナの燃焼中ではなく、バーナの燃焼が停止してアフターパージが終了し、燃焼装置が冷却されてファン電流が安定した後に、ファンの回転数を最大にして給排気流路の閉塞を検知するようにした燃焼装置が提案されている（特開平８−３１２９４８号公報）。しかし、かかる燃焼装置においては、バーナの燃焼が停止した後もファンが継続して作動する時間が長くなるため、使用者に不安感を与えると共に、ファンの作動のために余分な電力が消費されてしまうという不都合があった。
【０００６】
【発明が解決しようとする課題】
本発明は、上記不都合を解消し、燃焼停止後のファンの作動時間が延長させることを抑制して、給排気流路の閉塞度合を精度良く検知することができる燃焼装置を提供することを目的とする。
【０００７】
【課題を解決するための手段】
本発明は、上記目的を達成するためになされたものであり、バーナを収容した燃焼室と、該燃焼室に連通した給排気流路と、該給排気流路を介して前記バーナに対する強制的な給排気を行なうファンと、該ファンの回転数を検出する回転数検出手段と、前記バーナの目標燃焼量に対応した目標燃焼用空気が得られる前記ファンの目標回転数を設定する回転数決定手段と、前記回転数検出手段による検出回転数と前記目標回転数とが一致するように前記ファンに供給する電流を制御するファン制御手段と、前記給排気流路の閉塞度合を検知して該閉塞度合に応じて前記目標燃焼用空気が得られるように前記目標回転数を補正する回転数補正手段とを備えた燃焼装置の改良に関する。
【０００８】
本願発明者らは、上記目的を達成するために各種検討を重ねた結果、燃焼装置をある程度継続して作動させることにより、燃焼装置の温度が安定して前記給排気流路に給気される燃焼空気及び前記給排気流路から排気される前記バーナの燃焼排ガスの流れに対する抵抗の変化が減少すると共に、前記ファンの温度も安定して前記ファンの温度変化に伴う駆動電流の変動も抑制されることを知見した。
【０００９】
そこで、本発明は、前記ファンに供給される電流を検出するファン電流検出手段を備え、前記回転数補正手段は、前記バーナが第１の所定時間以上継続して燃焼したときに、前記バーナの消火から第２の所定時間内に前記目標回転数を所定の閉塞検知回転数に設定して前記ファン制御手段により前記ファンを作動させて前記ファン電流検出手段により前記ファンに供給される電流を検出し、前記電流検出手段の検出電流と予め設定された基準電流値との相違に基づいて前記給排気流路の閉塞度合を検知して、前記給排気流路の閉塞度合に応じて前記目標回転数を補正するための補正係数を決定し、前記回転数補正手段により決定された前記補正係数を更新して記憶する記憶手段を備えて、前記回転数補正手段は、該記憶手段に記憶された前回決定された補正係数の値が大きいほど前記閉塞検知回転数を高く設定して前記給排気流路の閉塞度合を検知することを特徴とする。
【００１０】
かかる本発明によれば、前記回転数補正手段は、前記バーナが前記第１の所定時間以上継続して燃焼することによって、前記給排気流路に給気される燃焼空気及び前記給排気流路から排気される前記バーナの燃焼排ガスの流れに対する抵抗の変化が減少すると共に、ファンの温度変化に伴う駆動電流の変動も抑制された状態で、前記ファン電流検出手段により前記ファンに供給される電流を検出する。
【００１１】
そのため、前記回転数補正手段は、前記ファンに供給される電流を精度良く検出することができ、検出した電流に基づいて前記目標回転数を精度良く決定することができる。そして、前記回転数補正手段は、前記バーナの消火から前記第２の所定時間が経過する前に前記給排気流路の閉塞度合を検知するため、前記燃焼室のアフターバージ処理中に前記給排気流路の閉塞度合を検知することができ、前記バーナの消火後に前記ファンが作動する時間が延長されることを抑制することができる。
【００１３】
さらに、本発明によれば、前記給排気流路の閉塞度合が大きいほど前記補正係数は大きな値に決定される。そして、前記給排気流路の閉塞度合が大きいほど前記ファンの回転に要する駆動電流が減少するため、前記補正係数の値が大きいほど前記閉塞検知回転数を高く設定することにより、前記回転数補正手段は、前記給排気流路の閉塞度合を検知するときに前記ファンに供給される電流を所定レベル以上に維持することができ、これにより、前記閉塞度合の検知精度が低下することを防止することができる。
【００１４】
また、前記回転数補正手段は、前記給排気流路の閉塞度合に応じて決定した前記補正係数と、前記記憶手段に記憶された前回決定した補正係数との差が所定の制限値以上となったときは、前記記憶手段に記憶された補正係数に該制限値を加算して該補正係数を更新することを特徴とする。
【００１５】
かかる本発明によれば、前記給排気流路への突風の吹き込み等により、前記ファンを前記閉塞検知回転数で作動させるために前記ファンに供給する必要がある電流が増加して、前記回転数補正手段により決定される補正係数が実際の前記給排気流路の閉塞度合に応じた補正係数よりも大きくなり、前記記憶手段に記憶された前回決定した補正係数との差が前記制限値以上となったときに、前記回転数補正手段は、前記記憶手段に記憶された補正係数に前記制限値を加算して該補正係数を更新する。
【００１６】
そのため、前記給排気流路への突風の吹き込み等の影響により、前記給排気流路の閉塞度合が誤って検知されたときであっても、前記補正係数の増大分が前記制限値に抑えられ、前記給排気流路の誤検知に応じて前記補正係数が極端に大きな値に設定されることを防止することができる。また、実際に前記給排気流路の閉塞度合が前記制限値以上まで高くなった場合にも、前記補正係数が前記制限値分だけ増大するので、前記給排気流路を流れる燃焼用空気の流量を増大させる効果をある程度確保することができる。
【００１７】
また、前記記憶手段は揮発性であり、前記閉塞検知手段は、電源投入後、最初に前記給排気流路の閉塞度合を検知して該閉塞度合に応じて前記補正係数を決定したときに、該補正係数と予め設定された補正係数の初期値との差が所定の上限値を超えたときには、該補正係数に前記上限値以下に設定した増加分を加算して前記補正係数を更新して前記記憶手段に記憶し、再度前記給排気流路の閉塞度合を検知して該閉塞度合に応じて前記補正係数を決定する処理を、決定した補正係数と前記記憶手段に記憶された補正係数との差が前記上限値以下となるまで繰り返すことを特徴とする。
【００１８】
かかる本発明によれば、前記記憶手段は揮発性であるため、前記燃焼装置への電源供給が停止されると、前記記憶手段に記憶されていた補正係数は消失する。そのため、前記回転数補正手段は、前記補正係数を新たに決定する必要があるが、前記給排気流路の閉塞度合が大きかったときには、補正係数の初期値と新たに決定される補正係数との差が大きくなって前記上限値を超える場合も生じ得る。そこで、かかる場合には、前記回転数補正手段は、前記補正係数を前記上限値以下に設定した前記増加分ずつ増加させる処理を行なう。これにより、前記回転数補正手段は、前記給排気流路への突風の吹き込み等の影響により前記補正係数が誤った値に更新されることを防止しつつ、前記補正係数を決定することができる。
【００１９】
また、前記記憶手段は不揮発性であり、前記記憶手段に記憶された前記補正係数を初期化する補正係数初期化手段を備えたことを特徴とする。
【００２０】
かかる本発明によれば、前記補正係数が不揮発性の前記記憶手段に記憶される。そのため、停電が生じた場合であっても、停電から復帰したときに、前記回転数補正手段は、前記記憶手段に記憶された前回の補正係数に基づいて前記閉塞検知回転数を設定して、前記給排気流路の閉塞度合を精度良く検知することができる。また、メンテナンスにより前記給排気流路の閉塞が解消されたときには、前記補正係数初期化手段により前記記憶手段に記憶された補正係数を初期化することによって、前記閉塞検知回転数を前記給排気流路の閉塞が生じていない状態に応じた値に戻すことができる。
【００２３】
【発明の実施の形態】
本発明の実施の形態の一例について、図１〜図４を参照して説明する。図１は本実施の形態の燃焼装置のファン制御部の構成を示すブロック図、図２はファンの回転数と駆動電流との相関関係を示すグラフ、図２〜図３は図１に示したコントローラの作動フローチャートである。本実施の形態の燃焼装置は、図示しないが、例えばガス給湯器やガスファンヒータ等に設けられるものであり、燃焼室に設けられたバーナの燃焼時に該バーナに対して強制的に給排気を行なうファンを備えている。該ファンは燃焼室と連通した給排気流路を介してバーナへの燃焼用空気の供給と該バーナの燃焼排ガスの排気とを行なう。
【００２４】
図１を参照して、ファン１はファンモータ２と回転数センサ３を備え、マイクロコンピュータやメモリ等からなるコントローラ４によりその作動が制御される。コントローラ４は、燃焼装置の運転条件（給湯温度や暖房温度等）に応じてバーナの目標燃焼量（Ｑａ）を設定するバーナ燃焼量設定部６、目標燃焼量（Ｑａ）に対応した燃焼用空気が得られるファン１の目標回転数（Ｎａ）を決定する目標回転数決定部７（本発明の回転数決定手段に相当する）、給排気流路の閉塞度合を検知して該閉塞度合に応じた目標回転数（Ｎａ）の補正係数（Ｈ）を決定する補正係数決定部８、補正係数（Ｈ）を用いて目標回転数（Ｎａ）を補正する目標回転数補正部９、及び補正後の目標回転数（Ｎｂ）と回転数センサ３により検出されるファン１の実回転数（Ｎｓ）が一致するようにファンモータ２に供給する電流（Ｉｄ、以下、ファン電流という）を制御するファン回転数制御部１０を備える。
【００２５】
なお、補正係数決定部８と目標回転数補正部９とにより、本発明の回転数補正手段が構成される。また、コントローラ４には、ファン電流（Ｉｄ）を検出する電流センサ５（本発明のファン電流検出手段に相当する）と、揮発性のメモリ１１（本発明の記憶手段に相当する）が設けられている。そして、補正係数決定部８は、ファン１を所定の閉塞検知回転数で回転させたときに電流センサ５で検出されるファン電流（Ｉｄ）の変化から、給排気流路の閉塞度合を検知する。
【００２６】
図２は、ファンモータ２の作動特性を示したグラフであり、横軸がファン１の回転数（Ｎ）に設定され、縦軸がファン電流（Ｉｄ）に設定されている。図２において、２０は給排気流路に閉塞が生じていない場合のファン１の回転数−電流特性を示す定常ラインであり、２１は補正係数（Ｈ）が１．０のときのファン１の回転数−電流特性を示している。
【００２７】
２１は補正を行なうか否かを決める基準ラインである。そして、給排気流路の閉塞が進むにつれて、ファン１の回転数−電流特性は図中２３、２４へと変化し、ファン１を閉塞検知回転数（Ｎｔ）で作動させるために必要なファン電流（Ｉｄ）が次第に減少する。なお、２４は補正係数（Ｈ）を求めるために実験により予め定めたファン１の回転数−電流特性の補助値ラインである。
【００２８】
また、Ｉ3，Ｉ1は、それぞれファン１の回転数が閉塞検知回転数（Ｎｔ）であるときの補助値ライン２４及び基準値ライン２１におけるファン電流値、Ｉ2はファン１の回転数が閉塞検知回転数（Ｎｔ）であるときの電流センサ５の検出電流値、ａはＩ1とＩ3の差（ａ＝Ｉ1−Ｉ3）、ｂはＩ2とＩ3の差（ｂ＝Ｉ2−Ｉ3）である。
【００２９】
そして、補正係数決定部８は、以下の式（１）により補正係数（Ｈ）を算出する。
【００３０】
Ｈ ＝ ｛（ａ／ｂ）−１｝×α＋１  ・・・・・（１）
但し、α：実験やシミュレーション等により定めた１以下の定数。
【００３１】
ここで、給排気流路の閉塞度合が大きくなるにつれて、閉塞検知回転数（Ｎｔ）における電流センサ５の検出電流（Ｉ2）は小さくなる。そのため、上記式（１）のａ／ｂが大きくなって補正係数（Ｈ）が大きくなる。そして、目標回転数補正部９は、以下の式（２）により目標回転数（Ｎａ）を補正するため、給排気流路の閉塞度合が大きくなるほど、補正後の目標回転数（Ｎｂ）が高く設定される。
【００３２】
Ｎｂ ＝ Ｈ × Ｎａ    ・・・・・（２）
次に、図１及び図２を参照しつつ、図３〜図４に示したフローチャートに従って、コントローラ４の作動について説明する。図３を参照して、ＳＴＥＰ１で電源スイッチ（図示しない）がＯＮ操作されて、燃焼装置への電源供給が開始されると、コントローラ４は、先ずＳＴＥＰ２で補正係数（Ｈ）を初期値の１．０に設定してメモリ１１に記憶し、ＳＴＥＰ３でカウンタ変数（ＣＮＴ）をクリアして、ＳＴＥＰ４で運転スイッチ（図示しない）のＯＮ操作待ちとなる。
【００３３】
運転スイッチがＯＮ操作されると、ＳＴＥＰ４からＳＴＥＰ５に進み、コントローラ４は、バーナの燃焼運転を開始し、ＳＴＥＰ６で１０分タイマをスタートする。また、コントローラ４は、次のＳＴＥＰ７で補正係数（Ｈ）が１．３６以上であるか否かを確認し、補正係数（Ｈ）が１．３６以上であったときには、ＳＴＥＰ２０に分岐して給排気流路の閉塞が進んでいることをエラーランプ（図示しない）の点灯やブザー（図示しない）の鳴動により使用者に報知する。
【００３４】
そして、コントローラ４は、ＳＴＥＰ９で運転停止条件（運転スイッチのＯＦＦ操作、タイマ運転の終了等）が成立するまで、ＳＴＥＰ８で、上述したバーナ燃焼量設定部６、目標回転数決定部７、補正係数決定部８、目標回転数補正部９、及びファン回転数制御部１０により、ファン１の回転数を補正後の目標回転数（Ｎｂ）に保つ回転数制御を継続的に実行する。
【００３５】
ＳＴＥＰ１１で運転停止条件が成立すると、ＳＴＥＰ１０に進み、コントローラ４は、１０分タイマがタイムアップしているか否か、すなわち、燃焼運転が１０分以上継続されたか否かを確認する。そして、１０分タイマがタイムアップしていなかったときは、ＳＴＥＰ３０に進み、コントローラ４はファン１を所定時間（例えば５秒間）作動させて燃焼室内をパージしてＳＴＥＰ４に戻り、再び運転スイッチの操作待ちとなる。
【００３６】
一方、１０分タイマがタイムアップしていたときには、継続的な燃焼運転により、燃焼装置全体が加熱されて安定して給排気流路の閉塞度合を検知することができる状態にあると判断できるため、図４のＳＴＥＰ１１〜ＳＴＥＰ１６、ＳＴＥＰ４０〜ＳＴＥＰ４４、及びＳＴＥＰ５０〜ＳＴＥＰ５１により、補正係数決定部８は補正係数（Ｈ）を決定する処理を実行する。
【００３７】
補正係数決定部８は、先ずＳＴＥＰ１１で今回の燃焼運転が燃焼装置に電源が投入されてから最初（１回目）の燃焼運転であったか否かを判断する。そして、電源が投入されてから最初の燃焼運転であったときは、ＳＴＥＰ４０に分岐し、補正係数決定部８は、メモリ１１に記憶された補正係数（Ｈ，この場合は初期値の１．０に設定されている）に基づいて、以下の式（３）により閉塞検知回転数（Ｎｔ）を算出し、該閉塞検知回転数（Ｎｔ）でファンを作動させる。
【００３８】
Ｎｔ ＝ Ｎｉ×｛（Ｈ−１）×Ａ＋１｝  ・・・・・（３）
但し、Ｎｉ：予め設定された閉塞検知回転数の初期値、Ａ：実験やシミュレーション等により決定された定数。
【００３９】
これにより、給排気流路の閉塞度合が大きいほど閉塞検知回転数（Ｎｔ）が高く設定される。そのため、給排気流路の閉塞により閉塞検知時のファン電流（Ｉｄ）が減少して、図２におけるｂの値が小さくなり、上記式（１）による補正係数（Ｈ）の算出精度の低下を防止している。
【００４０】
そして、次のＳＴＥＰ４１で、補正係数決定部８は、閉塞検知回転数（Ｎｔ）におけるファン電流（Ｉｄ）を検出し、ＳＴＥＰ４２で、ファン電流（Ｉｄ）に基づいて、上記式（１）により補正係数（Ｈ）を算出する。そして、次のＳＴＥＰ４３で、今回算出した補正係数とメモリ１１に記憶された補正係数との差（ΔＨ）が、０．０５（本発明の上限値に相当する）を超えていたときは、ＳＴＥＰ５０に分岐する。
【００４１】
ここで、０．０５という値は、給排気流路への突風の吹き込み等により、給排気流路の空気抵抗が瞬間的に増減した場合に、閉塞度合の誤検知が生じることを防止するために設定された値であると共に、給排気流路における空気の流量の安定を見るために設定された値である。そして、今回算出した補正係数とメモリ１１に記憶された補正係数との差（ΔＨ）が０．０５を超えたときには、補正係数決定部８は、ＳＴＥＰ５０で補正係数（Ｈ）を０．０４（本発明の増加分に相当する）だけ増加させて、ＳＴＥＰ５１で補正係数（Ｈ）をメモリ１１に記憶する。
【００４２】
なお、本実施の形態では、ＳＴＥＰ５１における補正係数（Ｈ）の増加分をＳＴＥＰ４３における上限値（０．０５）よりも小さい０．０４に設定したが、該増加分を該上限値と同じ値に設定しても良い。
【００４３】
補正係数決定部８は、ＳＴＥＰ４２で今回算出した補正係数とメモリ１１に記憶された補正係数の差（ΔＨ）が０．０５以下となるまで、ＳＴＥＰ４０〜ＳＴＥＰ４２及びＳＴＥＰ５０〜ＳＴＥＰ５１の処理を繰り返し実行する。これにより、電源投入時に、既に給排気流路の閉塞が進んだ状態であって、補正係数（Ｈ）を大きな値に設定する必要がある場合に、補正係数（Ｈ）を０．０４ずつ徐々に増加させることができる。
【００４４】
そのため、補正係数決定部８は、補正係数（Ｈ）を大きな値に設定する必要がある場合であっても、上述した給排気流路への突風の吹き込み等の影響を排除して、補正係数（Ｈ）を決定することができる。
【００４５】
そして、ＳＴＥＰ４３で補正係数の差（ΔＨ）が０．０５以下となったときにＳＴＥＰ４４に進み、補正係数決定部８は、算出した補正係数（Ｈ）をメモリ１１に記憶して更新し、ＳＴＥＰ１７に進む。
【００４６】
一方、ＳＴＥＰ１１で、電源投入後最初の燃焼運転でなかったときには、ＳＴＥＰ１２に進み、補正係数決定部８は、メモリ１１に記憶された閉塞検知回転数（Ｎｔ）でファン１を作動させる。ここで、閉塞検知回転数（Ｎｔ）は、前回の給排気流路の閉塞度合の検知結果に応じて算出されてメモリ１１に記憶された補正係数（Ｈ）を用いて、上記式（３）により算出される。そのため、給排気流路の閉塞が進むにつれて閉塞検知回転数（Ｎｔ）が高く設定され、給排気流路の閉塞検知に必要なファン電流が確保される。
【００４７】
この場合、補正係数決定部８は、ＳＴＥＰ１０で燃焼運転が停止した後、所定時間（本発明の第２の所定時間に相当し、ファン１が閉塞検知回転数（Ｎｔ）に達するまでに要する時間の最長値（例えば１０秒）となる）以内に閉塞検知回転数（Ｎｔ）におけるファン電流（Ｉｄ）を検出することができる。そのため、１０分以上の継続的な燃焼運転の実行により、給排気流路の空気抵抗やファン電流（Ｉｄ）が安定した状態で、補正係数決定部８は、ＳＴＥＰ１３で閉塞検知回転数（Ｎｔ）におけるファン電流（Ｉｄ）を精度良く検出することができる。
【００４８】
そして、次のＳＴＥＰ１４で、補正係数決定部８は、電流センサ５によりファン電流（Ｉｄ）を検出し、ファン電流（Ｉｄ）に基づいて、上記式（１）により補正係数（Ｈ）を算出する。
【００４９】
次のＳＴＥＰ１５は、上述したＳＴＥＰ４３と同様に、給排気流路への突風の吹き込み等の影響により給排気流路の閉塞度合が誤って実際よりも高く検知されたときに、該閉塞度合に応じて補正係数（Ｈ）が変更されることを防止するためのものである。補正係数決定部８は、今回算出した補正係数とメモリ１１に記憶された前回算出した補正係数との差（ΔＨ）が０．０４（本発明の制限値に相当する）以下であったときは、ＳＴＥＰ１６で今回算出した補正係数（Ｈ）をメモリ１１に記憶して、補正係数（Ｈ）を更新する。
【００５０】
一方、ＳＴＥＰ１５で、今回算出した補正係数とメモリ１１に記憶された前回算出した補正係数との差（ΔＨ）が０．０４を超えたときには、ＳＴＥＰ８０に分岐し、補正係数決定部８は、メモリ１１に記憶された補正係数に０．０４を加算した補正係数（Ｈ）をメモリ１１に記憶して、補正係数（Ｈ）を更新する。これにより、補正係数決定部８は、突風の影響により補正係数（Ｈ）が極端に大きく変更されることを防止している。
【００５１】
続くＳＴＥＰ１７で、コントローラ４は、メモリ１１に記憶された補正係数（Ｈ）が給排気流路の閉塞判定基準値である１．４以上であるか否かを確認する。補正係数（Ｈ）が１．４以上であったときはＳＴＥＰ６０に分岐し、コントローラ４は、カウンタ変数（ＣＮＴ）をカウントアップする。
【００５２】
次のＳＴＥＰ６１でカウント変数（ＣＮＴ）が３以上であったとき、すなわち、連続して３回補正係数（Ｈ）が１．４以上となったときには、コントローラ４は、給排気流路の閉塞が生じたと判断してＳＴＥＰ７０に分岐し、運転スイッチのＯＮ操作待ちとなる。そして、運転スイッチがＯＮ操作されたときに、ＳＴＥＰ７１に進んで、コントローラ４は給排気流路が閉塞したことをエラーランプの点灯やブザーの鳴動により使用者に報知し、燃焼運転の実行を禁止する。
【００５３】
また、ＳＴＥＰ１７で、補正係数（Ｈ）が１．４未満であったときには、ＳＴＥＰ１８に進み、コントローラ４は、カウント変数（ＣＮＴ）をクリアして図３のＳＴＥＰ４に戻り、再び運転スイッチのＯＮ操作待ちとなる。
【００５４】
以上説明したように、補正係数決定部８は、１０分以上燃焼運転が継続されて燃焼装置が全体的に加熱されて燃焼運転が消火した直後であって、給排気流路を流れる燃焼用空気及びバーナの燃焼排ガスに対する抵抗が安定すると共にファン電流（Ｉｄ）の変動も減少した状態で、ファン１を閉塞検知回転数（Ｎｔ）で回転させてファン電流（Ｉｄ）を検出する。そのため、補正係数決定部８は、給排気流路の閉塞度合に応じて変動するファン電流（Ｉｄ）を精度良く検出することができ、検出したファン電流（Ｉｄ）に基づいてファン１の目標回転数の補正係数（Ｈ）を精度良く決定することができる。
【００５５】
なお、本実施の形態では、本発明の第１の所定時間を１０分に設定したが、該第１の所定時間はこれに限られず、給排気流路を流れる燃焼用空気及びバーナの燃焼排ガスに対する抵抗が安定すると共にファン電流（Ｉｄ）の変動も減少する時間よりも長い時間を燃焼装置の形態に応じて設定すればよい。
【００５６】
また、本実施の形態では、揮発性のメモリ１１を採用したが、不揮発性のメモリを使用するときは、燃焼装置の電源を落とした後も前回決定された補正係数（Ｈ）が該メモリに記憶されるため、図４のＳＴＥＰ４０〜ＳＴＥＰ４４及びＳＴＰ５０〜ＳＴＥＰ５１の処理は不要となる。
【００５７】
不揮発性のメモリを使用する場合、停電が生じても、メモリ１１には直近に記憶された補正係数（Ｈ）のデータが保持される。そのため、停電から復帰したときに、目標回転数補正部９は、メモリ１１に記憶された補正係数（Ｈ）により、給排気通路の閉塞度合に応じて目標回転数（Ｎa）を補正することができる。また、補正係数決定部８は、メモリ１１に記憶された補正係数（Ｈ）を用いて、給排気通路の閉塞度合に応じた閉塞検知回転数（Ｎｔ）を設定することができる。
【００５８】
そして、不揮発性のメモリを使用する場合は、図１に示したように、コントローラ４にリセットスイッチ１５を設け、リセットスイッチ１５が操作されたときに、コントローラ４によりメモリ１１に記憶された補正係数（Ｈ）を初期値とする（Ｈ＝１．０）処理（本発明の初期化に相当する）を行なうようにする。なお、リセットスイッチ１５とコントローラ４の当該処理を行なう部分とにより、本発明の補正係数初期化手段が構成される。
【００５９】
このように、リセットスイッチ１５を設けることによって、メンテナンスにより給排気流路の閉塞が解消されたときに、メンテナンス作業者は、リセットスイッチ１５を操作して、補正係数（Ｈ）を給排気流路の閉塞が生じていない状態に対応した初期値に戻すことができる。なお、コントローラ４が外部端末との通信機能を有する場合は、該外部端末からコントローラ４にリセット信号が入力されたときに、上述したメモリ１１に記憶された補正係数（Ｈ）を初期値とする処理を行なうようにしてもよい。
【００６０】
また、本実施の形態では、補正係数決定部８による１回の補正係数（Ｈ）の増加分の上限を０．０４に制限することにより、給排気流路への突風等により閉塞度合の誤検知が生じることを防止したが、この制限を設けない場合であっても本発明の効果を得ることができる。
【００６１】
また、本実施の形態では、本発明の制限値及び増加分を０．０４に設定し、本発明の上限値を０．０５に設定したが、これらの値は実験やシミュレーション等により、燃焼装置の形態に応じた適切な値に設定すればよい。
【００６２】
また、給排気流路への突風の吹き込み等により給排気流路における空気の流量が不安定な状態となると、図４のＳＴＥＰ４３で補正係数の変化量ΔＨがなかなか０．０５以下とならず、ＳＴＥＰ４０〜ＳＴＥＰ４３とＳＴＥＰ５０〜ＳＴＥＰ５１からなるループが繰り返し実行されて補正係数（Ｈ）が決定されるまでに長い時間を要してしまうおそれがある。そこで、前記ループの実行に制限時間を設け、電源投入後の最初の燃焼運転の終了時における補正係数（Ｈ）の算出が該制限時間内に確実に終了するようにしてもよい。
【図面の簡単な説明】
【図１】本発明の燃焼装置のファン制御部の構成を示すブロック図。
【図２】ファンの回転数と駆動電流との相関関係を示すグラフ。
【図３】図１に示したコントローラの作動フローチャート。
【図４】図１に示したコントローラの作動フローチャート。
【符号の説明】
１…ファン、２…ファンモータ、３…回転数センサ、４…コントローラ、５…電流センサ、６…バーナ燃焼量設定部、７…目標回転数決定部、８…補正係数決定部、９…目標回転数補正部、１０…ファン回転数制御部
【図１】
0003854158.tif 000002
【図２】
0003854158.tif 000003
【図３】
0003854158.tif 000004
【図４】
0003854158.tif 000005